(57)【要約】      （修正有）【課題】防炎性能を高めるとともに、表面への難燃性材料のコーティングなどの煩雑な作業を必要とせず製造コストを低減することのできる組み立て式段簡易ヘルメットを提供する。【解決手段】段ボール製の組み立て式ヘルメット本体１０と、難燃性の素材を備えた防炎カバー２とを備えた組み立て式簡易ヘルメット１であって、前記ヘルメット本体は、前記ヘルメット本体の展開状態において、各部が連設された状態で１枚の段ボールシートから切り出されたものを適宜部位にて固着した固着部を有し、使用時に組み立てて使用するものであり、前記防炎カバーは、組み立てられた状態の前記ヘルメット本体の外表面に面ファスナーＹにより装着可能に設けて組み立て式簡易ヘルメットとする。【選択図】図１
0003181161.tif 000002
【実用新案登録請求の範囲】
【請求項１】
段ボール製の組み立て式ヘルメット本体と、難燃性の素材を備えた防炎カバーとを備えた組み立て式簡易ヘルメットであって、前記防炎カバーは、組み立てられた状態の前記ヘルメット本体の外表面に装着可能に設けられたことを特徴とする組み立て式簡易ヘルメット。
【請求項２】
前記ヘルメット本体と前記防炎カバーとに、互いに固定するための面ファスナーが取り付けられたことを特徴とする請求項１に記載の組み立て式簡易ヘルメット。
【請求項３】
前記ヘルメット本体と前記防炎カバーとに、互いに固定するための面ファスナーが、使用時に下端部付近となる部位に取り付けられたことを特徴とする請求項１に記載の組み立て式簡易ヘルメット。
【請求項４】
前記ヘルメット本体は、前記ヘルメット本体の展開状態において、各部が連設された状態で１枚の段ボールシートから切り出されたものを適宜部位にて固着した固着部を有し、使用時に組み立てて使用するものである請求項１から請求項３のいずれかに記載の組み立て式簡易ヘルメット。
【請求項５】
前記ヘルメット本体には、組み立てられた状態において使用者の肩を被覆する肩保護部が設けられていることを特徴とする請求項１から請求項４のいずれかに記載の組み立て式簡易ヘルメット。
【請求項６】
前記ヘルメット本体には、組み立てられた状態において首後方の背部を被覆する背部保護部が設けられていることを特徴とする請求項１から請求項５のいずれに記載の組み立て式簡易ヘルメット。
【請求項７】
前記ヘルメット本体には、組み立てられた状態において、使用者の頭部が嵌入装着可能な開口部の周縁に複数の緩衝片が形成された装着部が備えられていることを特徴とする請求項１から請求項６のいずれかに記載の組み立て式簡易ヘルメット。
【請求項８】
前記ヘルメット本体が組み立てられた状態において、使用者の耳が位置する部位に開口部が形成されたことを特徴とする請求項１から請求項７のいずれかに記載の組み立て式簡易ヘルメット。
【請求項９】
前記ヘルメット本体の左右に、紐を取り付け可能な取り付け孔がそれぞれ設けられたことを特徴とする請求項１から請求項８のいずれかに記載の組み立て式の簡易ヘルメット。
【請求項１０】
段ボール製の組み立て式ヘルメット本体と、難燃性の素材を備えた防炎カバーとを備えた組み立て式簡易ヘルメットであって、
前記ヘルメット本体は、前記ヘルメット本体の展開状態において、各部が連設された状態で１枚の段ボールシートから切り出されたものを適宜部位にて固着した固着部を有し、使用時に組み立てて使用するものであり、かつ、組み立てられた状態において使用者の肩を被覆する肩保護部が設けられており、さらに、
前記ヘルメット本体と前記防炎カバーは、互いに固定するための面ファスナーが、使用時に下端部付近となる部位に付けられていることを特徴とする組み立て式簡易ヘルメット。
【請求項１１】
段ボール製の組み立て式ヘルメット本体と、難燃性の素材を備えた防炎カバーとを備えた組み立て式簡易ヘルメットであって、
前記ヘルメット本体は、前記ヘルメット本体の展開状態において、各部が連設された状態で１枚の段ボールシートから切り出されたものを適宜部位にて固着した固着部を有し、使用時に組み立てて使用するものであり、かつ、組み立てられた状態において使用者の首後方の背部を被覆する背部保護部が設けられており、さらに、
前記ヘルメット本体と前記防炎カバーは、互いに固定するための面ファスナーが、使用時に下端部付近となる部位に付けられていることを特徴とする組み立て式簡易ヘルメット。
【請求項１２】
前記ヘルメット本体には、組み立てられた状態において使用者の肩を被覆する肩保護部が設けられていることを特徴とする請求項１１に記載の組み立て式簡易ヘルメット。
【請求項１３】
前記ヘルメット本体には、組み立てられた状態において、使用者の頭部が嵌入装着可能な開口部の周縁に複数の緩衝片が形成された装着部が備えられていることを特徴とする請求項１０から請求項１２のいずれかに記載の組み立て式簡易ヘルメット。
【請求項１４】
前記ヘルメット本体が組み立てられた状態において、使用者の耳が位置する部位に開口部が形成されたことを特徴とする請求項１０から請求項１３のいずれかに記載の組み立て式簡易ヘルメット。
【請求項１５】
前記ヘルメット本体の左右に、紐を取り付け可能な取り付け孔がそれぞれ設けられたことを特徴とする請求項１０から請求項１４のいずれかに記載の組み立て式簡易ヘルメット。
【請求項１６】
段ボール製の組み立て式簡易ヘルメットであって、ヘルメット本体は、前記ヘルメット本体の展開状態において、各部が連設された状態で１枚の段ボールシートから切り出されたものを適宜部位にて固着した固着部を有し、使用時に組み立てて使用するものである組み立て式簡易ヘルメット。
【請求項１７】
前記ヘルメット本体には、組み立てられた状態において使用者の肩を被覆する肩保護部が設けられていることを特徴とする請求項１６に記載の組み立て式簡易ヘルメット。
【請求項１８】
前記ヘルメット本体には、組み立てられた状態において首後方の背部を被覆する背部保護部が設けられていることを特徴とする請求項１６または請求項１７のいずれかに記載の組み立て式簡易ヘルメット。
【請求項１９】
前記ヘルメット本体には、組み立てられた状態において、使用者の頭部が嵌入装着可能な開口部の周縁に複数の緩衝片が形成された装着部が備えられていることを特徴とする請求項１６から請求項１８のいずれかに記載の組み立て式簡易ヘルメット。
【請求項２０】
前記ヘルメット本体が組み立てられた状態において、使用者の耳が位置する部位に開口部が形成されたことを特徴とする請求項１６から請求項１９のいずれかに記載の組み立て式簡易ヘルメット。
【請求項２１】
前記ヘルメット本体の左右に、紐を取り付け可能な取り付け孔がそれぞれ設けられたことを特徴とする請求項１６から請求項２０のいずれかに記載の組み立て式の簡易ヘルメット。
【考案の詳細な説明】
【技術分野】
【０００１】
この考案は、組み立て式簡易ヘルメットに関する。
【背景技術】
【０００２】
近年、地震等に対する防災意識の高まりにより防災用等のヘルメットを常備する例が増加している。このようなヘルメットは、古くからは、工事現場等において用いられる金属製・プラスチック製等の丈夫な半球状の硬質素材を利用するものも多い。一方で、学校や家庭等においては綿入り布製の防災頭巾等が用いられることも多い。しかしながら近年は、災害時にのみ使用する臨時用のヘルメットとして、保管時等においては折り畳んだ状態などとして保管スペースを省略したり、または持ち運びの利便性を図り、使用時には組み立てて頭部に装着して保護可能とする組み立て式の簡易ヘルメットも用いられるようになっている（特許文献１，２参照）。
【先行技術文献】
【特許文献】
【０００３】
【特許文献１】特開２００５−２３２６６３号公報（図２、図８〜図１２等）
【特許文献２】特開２０１１−０２１２９３号公報（図１、図９等）
【考案の概要】
【考案が解決しようとする課題】
【０００４】
従来の組み立て式簡易ヘルメットでは、前述の通り、保管や運搬の際の利便性を高めるために、軽量な段ボール製とするものが知られている。しかしながら、段ボール製のものでは、防炎性能に限界がある。このため段ボール製のものでは表面に難燃性材料をコーティングしたり、難燃性材料から構成されたシート状の被覆素材を張り付ける必要があり、製造工程が複雑化し、また製造コストが増加する要因となっていた。
【０００５】
本考案が解決しようとする目的は、前述の従来技術の問題点を解決するものであり、防炎性能を高めるとともに、表面への難燃性材料のコーティングなどの煩雑な作業を必要とせず製造コストを低減することのできる組み立て式簡易ヘルメットを提供することにある。
【０００６】
上記課題を解決するものは以下のものである。
（１）段ボール製の組み立て式ヘルメット本体と、難燃性の素材を備えた防炎カバーとを備えた組み立て式簡易ヘルメットであって、前記防炎カバーは、組み立てられた状態の前記ヘルメット本体の外表面に装着可能に設けられたことを特徴とする組み立て式簡易ヘルメットである。
【０００７】
段ボール製の組み立て式簡易ヘルメットであるため軽量で保管・運搬等の取扱いの利便性が高く、これに加えて、段ボール製のヘルメット本体とは別途に用意可能な防炎カバーを装着できるので、ヘルメット本体に難燃性材料の加工をする必要なく、防炎性能も高めた段ボール製の組み立て式簡易ヘルメットとすることができる。「防炎カバー」は難燃性材料をコーティングしたもの、難燃性材料からなるシートを表面に張り付けたものなど既存の防炎カバーの種々のものを用いることができる。
【０００８】
（２）前記ヘルメット本体と前記防炎カバーとに、互いに固定するための面ファスナーが取り付けられたことを特徴とする（１）に記載の組み立て式簡易ヘルメットである。
【０００９】
面ファスナーにより、これらの二つの部材を簡便・確実に固定することができる。また、段ボール製の組み立て式簡易ヘルメットの場合、変形容易な材質上、組み立てた完成状態から多少の変形をする可能性がある。面ファスナーであれば、このような変形に対応して固定位置の微調整が容易である。よって、段ボール製の組み立て式簡易ヘルメットにおいては好適な固定手段である。
【００１０】
（３）前記ヘルメット本体と前記防炎カバーとに、互いに固定するための面ファスナーが、使用時に下端部付近となる部位に取り付けられたことを特徴とする（１）に記載の組み立て式簡易ヘルメットである。
【００１１】
使用時に下端部付近となる部位に取り付けられるものとすることにより、面ファスナーによる固定作業を行いやすく、使用時に、ヘルメット本体と防炎カバーとの固定を迅速に行うことができる。
【００１２】
（４）前記ヘルメット本体は、前記ヘルメット本体の展開状態において、各部が連設された状態で１枚の段ボールシートから切り出されたものを適宜部位にて固着した固着部を有し、使用時に組み立てて使用するものである（１）から（３）のいずれかに記載の組み立て式簡易ヘルメットである。
【００１３】
ヘルメット本体は、その各部が連接された状態で１枚の段ボールシートから切り出し可能に構成されているので、公知の打ち抜き加工により簡便に製造することができる。これを適宜部位における固着部によって固着して、使用時には組み立てて使用することができるように構成できる。
【００１４】
（５）前記ヘルメット本体には、組み立てられた状態において使用者の肩を被覆する肩保護部が設けられていることを特徴とする（１）から（４）のいずれかに記載の組み立て式簡易ヘルメットである。
【００１５】
このような肩保護部を設けることにより、災害時において上方から落下してくる落下物から、使用者の頭部のみならず肩も保護することができる。
【００１６】
（６）前記ヘルメット本体には、組み立てられた状態において首後方の背部を被覆する背部保護部が設けられていることを特徴とする（１）から（５）のいずれに記載の組み立て式簡易ヘルメットである。
【００１７】
このような背部保護部を設けることにより、災害時において上方から落下してくる落下物から、使用者の頭部のみならず首後方の部位及び背部も保護することができる。
【００１８】
（７）前記ヘルメット本体には、組み立てられた状態において、使用者の頭部が嵌入装着可能な開口部の周縁に複数の緩衝片が形成された装着部が備えられていることを特徴とする（１）から（６）のいずれかに記載の組み立て式簡易ヘルメットである。
【００１９】
このような複数の緩衝片を備えた装着部を開口形成するという簡便な加工により、使用者の頭部に本ヘルメットを安定的に装着することができ、またこれらの緩衝片により頭部への緩衝機能を備えることができる。
【００２０】
（８）前記ヘルメット本体が組み立てられた状態において、使用者の耳が位置する部位に開口部が形成されたことを特徴とする（１）から（７）のいずれかに記載の組み立て式簡易ヘルメットである。
【００２１】
このような開口部を設けることにより、頭部への装着時において、耳の下方の部位まで被覆して保護を可能としながら、使用時における周囲の音の聴き取りに支障を来さないようにすることができる。
【００２２】
（９）前記ヘルメット本体の左右に、紐を取り付け可能な取り付け孔がそれぞれ設けられたことを特徴とする（１）から（８）のいずれかに記載の組み立て式の簡易ヘルメットである。
【００２３】
このような取り付け孔を設けることにより、例えばゴム紐等を取り付け、装着時にゴム紐を顎等に引っかけて、ヘルメットが容易には脱落しないようにすることができる。
【００２４】
また、（１０）段ボール製の組み立て式ヘルメット本体と、難燃性の素材を備えた防炎カバーとを備えた組み立て式簡易ヘルメットであって、前記ヘルメット本体は、前記ヘルメット本体の展開状態において、各部が連設された状態で１枚の段ボールシートから切り出されたものを適宜部位にて固着した固着部を有し、使用時に組み立てて使用するものであり、かつ、組み立てられた状態において使用者の肩を被覆する肩保護部が設けられており、さらに、前記ヘルメット本体と前記防炎カバーは、互いに固定するための面ファスナーが、使用時に下端部付近となる部位に付けられていることを特徴とする組み立て式簡易ヘルメットとしても良い。また、（１１）段ボール製の組み立て式ヘルメット本体と、難燃性の素材を備えた防炎カバーとを備えた組み立て式簡易ヘルメットであって、前記ヘルメット本体は、前記ヘルメット本体の展開状態において、各部が連設された状態で１枚の段ボールシートから切り出されたものを適宜部位にて固着した固着部を有し、使用時に組み立てて使用するものであり、かつ、組み立てられた状態において使用者の首後方の背部を被覆する背部保護部が設けられており、さらに、前記ヘルメット本体と前記防炎カバーは、互いに固定するための面ファスナーが、使用時に下端部付近となる部位に付けられていることを特徴とする組み立て式簡易ヘルメットとしても良い。また、（１２）前記ヘルメット本体には、組み立てられた状態において使用者の肩を被覆する肩保護部が設けられていることを特徴とする（１１）に記載の組み立て式簡易ヘルメットとしても良い。また、（１３）前記ヘルメット本体には、組み立てられた状態において、使用者の頭部が嵌入装着可能な開口部の周縁に複数の緩衝片が形成された装着部が備えられていることを特徴とする（１０）から（１２）のいずれかに記載の組み立て式簡易ヘルメットとすることもできる。また、（１４）前記ヘルメット本体が組み立てられた状態において、使用者の耳が位置する部位に開口部が形成されたことを特徴とする（１０）から（１３）のいずれかに記載の組み立て式簡易ヘルメットとすることもできる。また、（１５）前記ヘルメット本体の左右に、紐を取り付け可能な取り付け孔がそれぞれ設けられたことを特徴とする（１０）から（１４）のいずれかに記載の組み立て式簡易ヘルメットとすることもできる。
【００２５】
また、（１６）段ボール製の組み立て式簡易ヘルメットであって、ヘルメット本体は、前記ヘルメット本体の展開状態において、各部が連設された状態で１枚の段ボールシートから切り出されたものを適宜部位にて固着した固着部を有し、使用時に組み立てて使用するものである組み立て式簡易ヘルメットとしても良い。また、（１７）前記ヘルメット本体には、組み立てられた状態において使用者の肩を被覆する肩保護部が設けられていることを特徴とする（１６）に記載の組み立て式簡易ヘルメットとしても良い。また、（１８）  前記ヘルメット本体には、組み立てられた状態において首後方の背部を被覆する背部保護部が設けられていることを特徴とする（１６）または（１７）のいずれかに記載の組み立て式簡易ヘルメットとしても良い。また、（１９）前記ヘルメット本体には、組み立てられた状態において、使用者の頭部が嵌入装着可能な開口部の周縁に複数の緩衝片が形成された装着部が備えられていることを特徴とする（１６）から（１８）のいずれかに記載の組み立て式簡易ヘルメットとしても良い。また、（２０）前記ヘルメット本体が組み立てられた状態において、使用者の耳が位置する部位に開口部が形成されたことを特徴とする（１６）から（１９）のいずれかに記載の組み立て式簡易ヘルメットとしても良い。また、（２１）前記ヘルメット本体の左右に、紐を取り付け可能な取り付け孔がそれぞれ設けられたことを特徴とする（１６）から（２０）のいずれかに記載の組み立て式の簡易ヘルメットとしても良い。
【考案の効果】
【００２６】
本考案の組み立て式簡易ヘルメットは、前述の構成とされており、軽量な段ボール製であるとともに防炎カバーが備えられているので、防炎性能を高めつつも、段ボール表面への難燃性材料のコーティング等を必要とすることなく、製造コストを低減することができる。
【図面の簡単な説明】
【００２７】
【図１】図１は、本考案の組み立て式簡易ヘルメットの分解斜視図である。
【図２】図２は、ヘルメット本体の台紙の展開図である。
【図３】図３は、図２のヘルメット本体の台紙を糊付けして折りたたんだ状態の側面図である。
【図４】図４は、図３のヘルメット本体をさらに折りたたんだ状態の側面図である。
【図５】図５は、組み立てる際の第一の状態を示すヘルメット本体の底面図である。
【図６】図６は、組み立てる際の第二の状態を示すヘルメット本体の底面図である。
【図７】図７は、組み立てが完了した状態のヘルメット本体の下方から見た斜視図である。
【図８】図８は、組み立てが完了した状態のヘルメット本体の上方から見た斜視図である。
【図９】本考案に用いる別の防炎カバーの斜視図である。
【考案を実施するための形態】
【００２８】
本考案の組み立て式簡易ヘルメットについて、図面を参照して詳細に説明する。本考案の組み立て式簡易ヘルメット１は、図１に示されるように、段ボール製の組み立て式ヘルメット本体１０と、このヘルメット本体１０に上部から被せるように装着される防炎カバー２とから構成されている。ヘルメット本体１０は段ボール製とされており、一方、防炎カバー２は布製の本体の外表面に軟質ＰＶＣがコーティングされて構成されている。この軟質ＰＶＣは、ＰＶＣ樹脂、可塑剤、充填剤、安定剤、顔料、難燃剤他から構成されている。
【００２９】
ヘルメット本体１０は、組み立てた状態において、平面視正方形に近い矩形状に形成されており、上面を構成する本体上部２０と、本体上部２０の左右に垂下される右側部３０及び左側部４０、並びに本体上部２０の正面及び背面に垂下される正面部５０及び背面部６０とを備えて、これらにより全体として下方が開放された立方体状に形成されている。また、右側部３０及び左側部４０の下部からそれぞれ下方に延設された肩保護部７０、７６と、背面部６０の下部から下方に延設された背部保護部７８とを備えている。
【００３０】
後述するように、本体上部２０は、図２に示される４つの上部構成片２２ａ，２２ｂ，２４ａ，２４ｂから構成されている。第一上部構成片２２ａ，２２ｂは、それぞれ正面部５０及び背面部６０の上端部から折曲ヒンジＸを介して延設されており、先端方向が第一先端部２６と第二先端部２７に分かれる「双葉状」に形成されている。このうち一方の第一先端部２６は基端側において折曲ヒンジＸを介して折曲自在に構成されている。これらの第一上部構成片２２ａ，２２ｂは互いに同一の平面視形状に形成されている。また、第二上部構成片２４ａ，２４ｂは、それぞれ右側部３０及び左側部４０の上端部から折曲ヒンジＸを介して延設されており、先端が先細の三角形状に形成されている。これらの第二上部構成片２４ａ，２４ｂも互いに同一の平面視形状に形成されている。また、第二上部構成片２４ａ，２４ｂには、第一上部構成片２２ａ，２２ｂと糊付けするための糊代部２５がそれぞれ形成されている。ヘルメット本体１０の組み立て時には、第二上部構成片２４ａ，２４ｂは、図３に示されるように、糊代部２５を介して、第一上部構成片２２ａ，２２ｂの内側面に貼付される。そして、糊付けされた第一上部構成片２２ａ及び第二上部構成片２４ａ、第一上部構成片２２ｂ及び第二上部構成片２４ｂは、ヘルメット本体１０の組み立て時に互いに係止されて、図１に示されるような本体上部２０を構成する。
【００３１】
図２に示されるように、右側部３０、正面部５０、左側部４０及び背面部６０は、横方向において順に、側端部がそれぞれ連設されている。右側部３０及び左側部４０は、正面部５０を挟んで左右対称の形状に、やや縦長の台形状に形成されている。右側部３０の下方寄り中央付近であって使用者の装着時において使用者の耳が位置する部位には開口部３２が開設されている。この開口部３２により、使用時における周囲の音の聴き取りに支障が無いように構成されている。また、使用時におけるこの開口部３２よりも正面側の部位には、ゴム紐等を取り付け可能な取り付け孔３４が開設されている。左側部４０においては、このような開口部３２及び取り付け孔３４が、正面部５０を挟んで左右対称の位置に形成されている。そして、図１に示す組み立てられた状態においては、これらの左右の取り付け孔３４にゴム紐等を取り付け、これを使用者の顎に引っかけて使用することにより、ヘルメット本体１０が使用者の頭部から容易には脱落しないようにすることができる。
【００３２】
正面部５０は八角形状に形成されており、右側部３０と左側部４０との間に、それぞれに対して連設されている。正面部５０の中央には横長楕円形状の開口部５２が開設されている。正面部５０は上方の上部５４と下方の下部５６とから構成されており、上部５４と下部５６とは、正面部５０の上下方向の中間部位において折曲ヒンジＸを介して折り曲げ可能に構成されている。上部５４は右側部３０及び左側部４０と連設されているが、下部５６はこれらの左側部３０及び右側部４０とは連設されず切り離されている。よって、下部５６は、左側部３０及び右側部４０とは独立して、折曲ヒンジＸを支点にして上部５４に対して搖動自在に構成されている。図１に示されるように、ヘルメット本体１０が組み立てられた状態においては、下部５６はヘルメット本体１０の内側に折りたたまれるので、ヘルメット本体１０の下方の部位において開口される。また、開口部５２によって上部５４の下方寄りの部位が開口される。よって、使用者の視界が妨げられ難い。
【００３３】
背面部６０は、正面部５０と反対側の左側部４０の側端部４１に連設されている。背面部６０はやや縦長の台形状に形成されている。背面部６０の左側部４０と反対側の側端部には、この側端部に沿って縦長の帯状に形成された糊代部６２が延設されている。背面部６０の糊代部６２は、正面部５０と反対側の右側部３０の側端部３１に貼付されて、ヘルメット本体１０の組み立て時には、右側部３０、左側部４０、正面部５０及び背面部６０が、無端状に連設されることになる。
【００３４】
右側部３０の下部には、前述した肩保護部７０が連設されている。肩保護部７０は先端（下端）がやや幅狭に両角部を丸めた方形状に形成されている。左側部４０の下部には、同様に肩保護部７６が連設されている。また、背面部６０の下部には、前述した背部保護部７８が連設されている。背部保護部７８は先端（下端）がやや幅狭に両角部を丸めた方形状に形成されている。そして、これらの肩保護部７０，７６、及び背部保護部７８の先端より外側面には、それぞれ面ファスナーＹが取り付けられている。
【００３５】
ついで、正面部５０の下部５６側に連設される保持部８０及び装着部９０について説明する。保持部８０は正面部５０の下部５６の下端に直接連設されている。保持部８０は四四隅に四つの折曲片８２を折り曲げ可能にそれぞれ突設したほぼ正方形状に形成されている。折曲片８２は、ヘルメット本体１０が組み立てられる際にヘルメット本体１０の下方側に容易に折り曲げられ、右側部３０、左側部４０、正面部５０及び背面部６０に囲まれた部位にその四隅が引っかかることなく容易に押し込むことができるように構成されている。
【００３６】
保持部８０の先端（下端）には装着部９０が直接連設されている。装着部９０は、ヘルメット本体１０の組み立て完了時には、使用者の頭部に直接装着される部位である。装着部９０には、ほぼ正方形状の本体９２と、本体９２の四辺にそれぞれ連設されている支持片９４が備えられている。支持片９４は、ヘルメット本体１０の組み立て完了時において本体９２に対してほぼ直角に折り曲げられ、その先端において本体上部２０を支持するように構成されている。ヘルメット本体１０の組み立て完了時には、本体９２とヘルメット本体１０の本体上部２０との間には、支持片９４の高さだけ空間が確保されるように構成されている。
【００３７】
本体９２の中央には、ヘルメット本体１０の上下方向に沿った開口部９６が開設されている。開口部９６は、ヘルメット本体１０の左右にそれぞれ円弧部９８を備えており、この円弧部９８には、それぞれ開口部９６の中心に向けて左右３つずつの緩衝片９９が延設されている。これらの緩衝片９９は互いに独立して折曲ヒンジＸを介して折曲可能に構成されている。また、円弧部９８は、使用者の一般的な頭部外径より小さい内径に形成されており、頭部に装着した際には円弧部９８が頭部の上方よりに係止されて、それ以上ヘルメット本体１０が使用者の頭部の下方寄りに位置しないように構成されている。また、６つの緩衝片９９の内径は、円弧部９８よりもさらに小さく設けられている。よって、頭部に装着する際には、使用者の頭部の上部が緩衝片９９を奥に押し込むように円弧部９８内に圧入されることとなるとともに、緩衝片９９が元の角度に戻ろうとする反発力によって、頭部に対して緩衝片９９が緩衝機能を生ずるように構成されている。
【００３８】
このような糊付け前のヘルメット本体１０は、１枚の段ボールシートから打ち抜き加工等によって成型することができる。また、自動糊貼り機等を用いてそのローラー等により糊代部２５，６２を糊付けすることができる。そして、このような糊代部２５，６２を用いて適宜部位を固着することにより、組立可能なヘルメット本体１０を完成させることができる。本例ではこれらの糊代部２５，６２によってヘルメット本体１０の適宜の部位を固着することができるが、これらの糊代部２５，６２が本発明の言う「固着部」の一例に相当する。
【００３９】
ついで防炎カバー２について説明する。図１に示されるように、防炎カバー２は下方が開放された立方体形状に形成されており、上部３、右側部４、左側部５、正面部６及び背面部７を備えている。これらの各部位は、組み立て完了後のヘルメット本体１０の外形に沿うような形状となるように形成されている。前述の通り防炎カバー２は布製の本体の外表面に軟質ＰＶＣがコーティングされて構成されており、この軟質ＰＶＣは、ＰＶＣ樹脂、可塑剤、充填剤、安定剤、顔料、難燃剤他から構成されている。この防炎カバー２がヘルメット１０本体に取り付けられて、ヘルメット本体１０に着火するおそれを低減させる。また、右側部４、左側部５及び背面部７の先端内側面には、前述したヘルメット本体１０の肩保護部７０、７６及び背部保護部７８の先端外側面に取り付けられた面ファスナーＹと対応する位置に面ファスナーＹがそれぞれ取り付けられている。また、右側部４、左側部５及び背面部７の先端寄りにおいては、互いに切込みが設けられて、ヘルメット本体１０の肩保護部７０、７６及び背部保護部７８がそれぞれ搖動するのに合わせて、これらの右側部４、左側部５及び背面部７も独立して搖動可能に構成されている。
【００４０】
ついで、本組み立て式簡易ヘルメット１の保管・運搬時の態様、及び組み立て方法について説明する。図１に示される糊付け前の展開状態から、前述のように糊代部２５及び糊代部６２を糊付けすると、図３に示されるように、背面部６０、右側部３０、背部保護部７８、肩保護部７０を手前側に、正面部５０、左側部４０、保持部８０及び装着部９０が奥側に、平板状に折りたたまれた形態とすることができる。また、図４に示されるように、さらに保持部８０、装着部９０、肩保護部７０，７６及び背部保護部７８等も折りたたむと、さらにコンパクトに平板状に折りたたまれた形態とすることができる。このような形態とすることにより、少ないスペースでも保管・運搬等が容易となる。
【００４１】
組み立て式簡易ヘルメット１を組み立てるには以下のような手順に従う。最初に、図３に示されるような形態にまで展開した後に、図５に示されるように、底面視において、右側部３０、左側部４０、正面部５０の上部５４及び背面部６０が全体として矩形状となるように押し広げる。この状態において、正面部５０の下部５６、保持部８０及び装着部９０は、右側部３０、左側部４０、正面部５０の上部５４及び背面部６０の外側に展開されたままである。ついで、図６に示されるように、正面部５０の下部５６を、上部５４の内側に折りたたむとともに、さらに、下部５６に連設される保持部８０をヘルメット本体１０の本体上部２０の内側に接するように押し込む。この際に、折曲片８２はヘルメット本体１０の下方に向けて自然に折り曲げられることになり、保持部８０の四隅がヘルメット本体１０内に押し込まれる際に引っかかる等の支障が生じ難い。そして、保持部８０に連設される装着部９０を、その支持片９４をヘルメット本体１０上方に向けて折り曲げるようにして、保持部８０と同様に、本体上部２０方向に押し込む。この際には、各支持片９４が保持部８０に当接するに至るまで押し込む。このようにして、図７に示されるように、ヘルメット本体１０の組み立て作業が完了する。このように、平板状に保管・運搬等されたヘルメット本体１０から、簡便・迅速に使用状態に組み立てることができる。
【００４２】
そして図１に示されるように、このように組み立てられたヘルメット本体１０の上方から防炎カバー２を被せる。防炎カバー２はヘルメット本体１０の外表面に沿うように被せることができ、さらに、前述した面ファスナーＹを固定することにより、ヘルメット本体１０と防炎カバー２とを確実に固定することができる。
【００４３】
本考案は前述の例に限られず、本考案の主旨の範囲内で適宜の変更が可能である。例えば、ヘルメット本体１０とこれに被せる防炎カバー２の形状は他の形状とすることもできる。例えば、図９に示される防炎カバー２ｂのように、右側部４ｂ、左側部５ｂ及び背面部７ｂの内側の３か所に、先端側７０ｍｍ程度までに設けられたポケット部８を追加したものとしてもよい。この場合、ヘルメット本体１０の肩保護部７０，７６及び背面保護部７８は、ポケット部８に差し込まれるて保持される。また、ポケット部８内に面ファスナーを設けるとともに、肩保護部７０，７６及び背面保護部７８の先端側の面ファスナーは、ポケット部８内の面ファスナーに合わせて、肩保護部７０，７６及び背面保護部７８の外側又は内側に適宜変更して取り付けても良い。また、防炎カバー２ｂにも、使用者の装着時において使用者の耳が位置する部位に、開口部３２ｂを設けても良い。また、１枚の段ボールシートから切り出して製造可能とするためには、ヘルメット本体１０の展開状態における台紙は、各部位が重なり合わないような形状とすることが必要であるが、前述の各部の構成に限られるものではない。
【産業上の利用可能性】
【００４４】
本考案は、軽量で保管・運搬の利便性を高める必要のある組み立て式簡易ヘルメットについて広く用いることができる。
【符号の説明】
【００４５】
１；組み立て式簡易ヘルメット、２，２ｂ；防炎カバー、３；上部、４，４ｂ；右側部、５，５ｂ；左側部、６；正面部、７，７ｂ；背面部、８；ポケット部、１０；ヘルメット本体、２０；本体上部、２２ａ，２２ｂ；第一上部構成片、２４ａ，２４ｂ第二上部構成片、２５；糊代部、２５；第一先端部、２６；第二先端部、３０；右側部、３１；側端部、３２，３２ｂ；開口部、３４；取り付け孔、４０；左側部、４１；側端部、５０；正面部、５２；開口部、５４；上部、５６；下部、６０；背面部、６２；糊代部、７０，７６；肩保護部、７８；背部保護部、８０；保持部、８２；折曲片、９０；装着部、９２；本体、９４；支持片、９６；開口部、９８；円弧部、９９；緩衝片、Ｘ；折曲ヒンジ、Ｙ；面ファスナー。
【図１】
0003181161.tif 000003
【図２】
0003181161.tif 000004
【図３】
0003181161.tif 000005
【図４】
0003181161.tif 000006
【図５】
0003181161.tif 000007
【図６】
0003181161.tif 000008
【図７】
0003181161.tif 000009
【図８】
0003181161.tif 000010
【図９】
0003181161.tif 000011
【手続補正書】
【提出日】平成24年11月22日(2012.11.22)
【手続補正１】
【補正対象書類名】実用新案登録請求の範囲
【補正対象項目名】全文
【補正方法】変更
【補正の内容】
【実用新案登録請求の範囲】
【請求項１】
段ボール製の組み立て式ヘルメット本体と、難燃性の素材を備えた防炎カバーとを備えた組み立て式簡易ヘルメットであって、前記ヘルメット本体は、前記ヘルメット本体の展開状態において、各部が連設された状態で１枚の段ボールシートから切り出されたものを適宜部位にて固着した固着部を有し、使用時に組み立てて使用するものであり、前記防炎カバーは、組み立てられた状態の前記ヘルメット本体の外表面に装着可能に設けられたことを特徴とする組み立て式簡易ヘルメット。
【請求項２】
前記ヘルメット本体と前記防炎カバーとに、互いに固定するための面ファスナーが取り付けられたことを特徴とする請求項１に記載の組み立て式簡易ヘルメット。
【請求項３】
前記ヘルメット本体と前記防炎カバーとに、互いに固定するための面ファスナーが、使用時に下端部付近となる部位に取り付けられたことを特徴とする請求項１に記載の組み立て式簡易ヘルメット。
【請求項４】
前記ヘルメット本体には、組み立てられた状態において使用者の肩を被覆する肩保護部が設けられていることを特徴とする請求項１から請求項３のいずれかに記載の組み立て式簡易ヘルメット。
【請求項５】
前記ヘルメット本体には、組み立てられた状態において首後方の背部を被覆する背部保護部が設けられていることを特徴とする請求項１から請求項４のいずれかに記載の組み立て式簡易ヘルメット。
【請求項６】
前記ヘルメット本体には、組み立てられた状態において、使用者の頭部が嵌入装着可能な開口部の周縁に複数の緩衝片が形成された装着部が備えられていることを特徴とする請求項１から請求項５のいずれかに記載の組み立て式簡易ヘルメット。
【請求項７】
前記ヘルメット本体が組み立てられた状態において、使用者の耳が位置する部位に開口部が形成されたことを特徴とする請求項１から請求項６のいずれかに記載の組み立て式簡易ヘルメット。
【請求項８】
前記ヘルメット本体の左右に、紐を取り付け可能な取り付け孔がそれぞれ設けられたことを特徴とする請求項１から請求項７のいずれかに記載の組み立て式の簡易ヘルメット。
【請求項９】
段ボール製の組み立て式ヘルメット本体と、難燃性の素材を備えた防炎カバーとを備えた組み立て式簡易ヘルメットであって、
前記ヘルメット本体は、前記ヘルメット本体の展開状態において、各部が連設された状態で１枚の段ボールシートから切り出されたものを適宜部位にて固着した固着部を有し、使用時に組み立てて使用するものであり、かつ、組み立てられた状態において使用者の肩を被覆する肩保護部が設けられており、さらに、
前記ヘルメット本体と前記防炎カバーは、互いに固定するための面ファスナーが、使用時に下端部付近となる部位に取り付けられていることを特徴とする組み立て式簡易ヘルメット。
【請求項１０】
段ボール製の組み立て式ヘルメット本体と、難燃性の素材を備えた防炎カバーとを備えた組み立て式簡易ヘルメットであって、
前記ヘルメット本体は、前記ヘルメット本体の展開状態において、各部が連設された状態で１枚の段ボールシートから切り出されたものを適宜部位にて固着した固着部を有し、使用時に組み立てて使用するものであり、かつ、組み立てられた状態において使用者の首後方の背部を被覆する背部保護部が設けられており、さらに、
前記ヘルメット本体と前記防炎カバーは、互いに固定するための面ファスナーが、使用時に下端部付近となる部位に取り付けられていることを特徴とする組み立て式簡易ヘルメット。
【請求項１１】
前記ヘルメット本体には、組み立てられた状態において使用者の肩を被覆する肩保護部が設けられていることを特徴とする請求項１０に記載の組み立て式簡易ヘルメット。
【請求項１２】
前記ヘルメット本体には、組み立てられた状態において、使用者の頭部が嵌入装着可能な開口部の周縁に複数の緩衝片が形成された装着部が備えられていることを特徴とする請求項９から請求項１１のいずれかに記載の組み立て式簡易ヘルメット。
【請求項１３】
前記ヘルメット本体が組み立てられた状態において、使用者の耳が位置する部位に開口部が形成されたことを特徴とする請求項９から請求項１２のいずれかに記載の組み立て式簡易ヘルメット。
【請求項１４】
前記ヘルメット本体の左右に、紐を取り付け可能な取り付け孔がそれぞれ設けられたことを特徴とする請求項９から請求項１３のいずれかに記載の組み立て式簡易ヘルメット。
【請求項１５】
段ボール製の組み立て式簡易ヘルメットであって、ヘルメット本体は、前記ヘルメット本体の展開状態において、各部が連設された状態で１枚の段ボールシートから切り出されたものを適宜部位にて固着した固着部を有し、使用時に組み立てて使用するものである組み立て式簡易ヘルメット。
【請求項１６】
前記ヘルメット本体には、組み立てられた状態において使用者の肩を被覆する肩保護部が設けられていることを特徴とする請求項１５に記載の組み立て式簡易ヘルメット。
【請求項１７】
前記ヘルメット本体には、組み立てられた状態において首後方の背部を被覆する背部保護部が設けられていることを特徴とする請求項１５または請求項１６のいずれかに記載の組み立て式簡易ヘルメット。
【請求項１８】
前記ヘルメット本体には、組み立てられた状態において、使用者の頭部が嵌入装着可能な開口部の周縁に複数の緩衝片が形成された装着部が備えられていることを特徴とする請求項１５から請求項１７のいずれかに記載の組み立て式簡易ヘルメット。
【請求項１９】
前記ヘルメット本体が組み立てられた状態において、使用者の耳が位置する部位に開口部が形成されたことを特徴とする請求項１５から請求項１８のいずれかに記載の組み立て式簡易ヘルメット。
【請求項２０】
前記ヘルメット本体の左右に、紐を取り付け可能な取り付け孔がそれぞれ設けられたことを特徴とする請求項１５から請求項１９のいずれかに記載の組み立て式簡易ヘルメット。
【手続補正２】
【補正対象書類名】明細書
【補正対象項目名】０００６
【補正方法】変更
【補正の内容】
【０００６】
上記課題を解決するものは以下のものである。
（１）段ボール製の組み立て式ヘルメット本体と、難燃性の素材を備えた防炎カバーとを備えた組み立て式簡易ヘルメットであって、前記ヘルメット本体は、前記ヘルメット本体の展開状態において、各部が連設された状態で１枚の段ボールシートから切り出されたものを適宜部位にて固着した固着部を有し、使用時に組み立てて使用するものであり、前記防炎カバーは、組み立てられた状態の前記ヘルメット本体の外表面に装着可能に設けられたことを特徴とする組み立て式簡易ヘルメットである。
【手続補正３】
【補正対象書類名】明細書
【補正対象項目名】０００７
【補正方法】変更
【補正の内容】
【０００７】
段ボール製の組み立て式簡易ヘルメットであるため軽量で保管・運搬等の取扱いの利便性が高く、これに加えて、段ボール製のヘルメット本体とは別途に用意可能な防炎カバーを装着できるので、ヘルメット本体に難燃性材料の加工をする必要なく、防炎性能も高めた段ボール製の組み立て式簡易ヘルメットとすることができる。「防炎カバー」は難燃性材料をコーティングしたもの、難燃性材料からなるシートを表面に張り付けたものなど既存の防炎カバーの種々のものを用いることができる。ヘルメット本体は、その各部が連接された状態で１枚の段ボールシートから切り出し可能に構成されているので、公知の打ち抜き加工により簡便に製造することができる。これを適宜部位における固着部によって固着して、使用時には組み立てて使用することができるように構成できる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（４）前記ヘルメット本体には、組み立てられた状態において使用者の肩を被覆する肩保護部が設けられていることを特徴とする（１）から（３）のいずれかに記載の組み立て式簡易ヘルメットである。
【手続補正７】
【補正対象書類名】明細書
【補正対象項目名】００１６
【補正方法】変更
【補正の内容】
【００１６】
（５）前記ヘルメット本体には、組み立てられた状態において首後方の背部を被覆する背部保護部が設けられていることを特徴とする（１）から（４）のいずれかに記載の組み立て式簡易ヘルメットである。
【手続補正８】
【補正対象書類名】明細書
【補正対象項目名】００１８
【補正方法】変更
【補正の内容】
【００１８】
（６）前記ヘルメット本体には、組み立てられた状態において、使用者の頭部が嵌入装着可能な開口部の周縁に複数の緩衝片が形成された装着部が備えられていることを特徴とする（１）から（５）のいずれかに記載の組み立て式簡易ヘルメットである。
【手続補正９】
【補正対象書類名】明細書
【補正対象項目名】００２０
【補正方法】変更
【補正の内容】
【００２０】
（７）前記ヘルメット本体が組み立てられた状態において、使用者の耳が位置する部位に開口部が形成されたことを特徴とする（１）から（６）のいずれかに記載の組み立て式簡易ヘルメットである。
【手続補正１０】
【補正対象書類名】明細書
【補正対象項目名】００２２
【補正方法】変更
【補正の内容】
【００２２】
（８）前記ヘルメット本体の左右に、紐を取り付け可能な取り付け孔がそれぞれ設けられたことを特徴とする（１）から（７）のいずれかに記載の組み立て式の簡易ヘルメットである。
【手続補正１１】
【補正対象書類名】明細書
【補正対象項目名】００２４
【補正方法】変更
【補正の内容】
【００２４】
また、（９）段ボール製の組み立て式ヘルメット本体と、難燃性の素材を備えた防炎カバーとを備えた組み立て式簡易ヘルメットであって、前記ヘルメット本体は、前記ヘルメット本体の展開状態において、各部が連設された状態で１枚の段ボールシートから切り出されたものを適宜部位にて固着した固着部を有し、使用時に組み立てて使用するものであり、かつ、組み立てられた状態において使用者の肩を被覆する肩保護部が設けられており、さらに、前記ヘルメット本体と前記防炎カバーは、互いに固定するための面ファスナーが、使用時に下端部付近となる部位に取り付けられていることを特徴とする組み立て式簡易ヘルメットとしても良い。また、（１０）段ボール製の組み立て式ヘルメット本体と、難燃性の素材を備えた防炎カバーとを備えた組み立て式簡易ヘルメットであって、前記ヘルメット本体は、前記ヘルメット本体の展開状態において、各部が連設された状態で１枚の段ボールシートから切り出されたものを適宜部位にて固着した固着部を有し、使用時に組み立てて使用するものであり、かつ、組み立てられた状態において使用者の首後方の背部を被覆する背部保護部が設けられており、さらに、前記ヘルメット本体と前記防炎カバーは、互いに固定するための面ファスナーが、使用時に下端部付近となる部位に取り付けられていることを特徴とする組み立て式簡易ヘルメットとしても良い。また、（１１）前記ヘルメット本体には、組み立てられた状態において使用者の肩を被覆する肩保護部が設けられていることを特徴とする（１０）に記載の組み立て式簡易ヘルメットとしても良い。また、（１２）前記ヘルメット本体には、組み立てられた状態において、使用者の頭部が嵌入装着可能な開口部の周縁に複数の緩衝片が形成された装着部が備えられていることを特徴とする（９）から（１１）のいずれかに記載の組み立て式簡易ヘルメットとすることもできる。また、（１３）前記ヘルメット本体が組み立てられた状態において、使用者の耳が位置する部位に開口部が形成されたことを特徴とする（９）から（１２）のいずれかに記載の組み立て式簡易ヘルメットとすることもできる。また、（１４）前記ヘルメット本体の左右に、紐を取り付け可能な取り付け孔がそれぞれ設けられたことを特徴とする（９）から（１３）のいずれかに記載の組み立て式簡易ヘルメットとすることもできる。
【手続補正１２】
【補正対象書類名】明細書
【補正対象項目名】００２５
【補正方法】変更
【補正の内容】
【００２５】
また、（１５）段ボール製の組み立て式簡易ヘルメットであって、ヘルメット本体は、前記ヘルメット本体の展開状態において、各部が連設された状態で１枚の段ボールシートから切り出されたものを適宜部位にて固着した固着部を有し、使用時に組み立てて使用するものである組み立て式簡易ヘルメットとしても良い。また、（１６）前記ヘルメット本体には、組み立てられた状態において使用者の肩を被覆する肩保護部が設けられていることを特徴とする（１５）に記載の組み立て式簡易ヘルメットとしても良い。また、（１７）  前記ヘルメット本体には、組み立てられた状態において首後方の背部を被覆する背部保護部が設けられていることを特徴とする（１５）または（１６）のいずれかに記載の組み立て式簡易ヘルメットとしても良い。また、（１８）前記ヘルメット本体には、組み立てられた状態において、使用者の頭部が嵌入装着可能な開口部の周縁に複数の緩衝片が形成された装着部が備えられていることを特徴とする（１５）から（１７）のいずれかに記載の組み立て式簡易ヘルメットとしても良い。また、（１９）前記ヘルメット本体が組み立てられた状態において、使用者の耳が位置する部位に開口部が形成されたことを特徴とする（１５）から（１８）のいずれかに記載の組み立て式簡易ヘルメットとしても良い。また、（２０）前記ヘルメット本体の左右に、紐を取り付け可能な取り付け孔がそれぞれ設けられたことを特徴とする（１５）から（１９）のいずれかに記載の組み立て式簡易ヘルメットとしても良い。
【手続補正１３】
【補正対象書類名】明細書
【補正対象項目名】００２８
【補正方法】変更
【補正の内容】
【００２８】
本考案の組み立て式簡易ヘルメットについて、図面を参照して詳細に説明する。本考案の組み立て式簡易ヘルメット１は、図１に示されるように、段ボール製の組み立て式ヘルメット本体１０と、このヘルメット本体１０に上部から被せるように装着される防炎カバー２とから構成されている。ヘルメット本体１０は段ボール製とされており、一方、防炎カバー２は布製の本体の外表面に軟質ＰＶＣがコーティングされて構成されている。この軟質ＰＶＣは、ＰＶＣ樹脂、可塑剤、充填剤、安定剤、顔料、難燃剤他から構成されている。
また、ヘルメット本体１０は、ヘルメット本体１０の展開状態において、各部が連設された状態で１枚の段ボールシートから切り出されたものを適宜部位にて固着した固着部を有し、使用時に組み立てて使用するものである。